(57)【要約】【課題】開閉体の開放作業の簡素化を図ること。【解決手段】電子機器は、機器本体に回動自在に軸支され、前記機器本体に対し開閉する開閉体と、一端が前記開閉体に回動自在に軸支されており、他端が前記機器本体に対し着脱自在であり、前記他端が前記機器本体から離間する離間方向に回動すると前記開閉体を前記機器本体から開放する開放方向に回動させ、前記他端が前記機器本体に近接する近接方向に回動すると前記開閉体を前記機器本体に閉塞する閉塞方向に回動させる支持レバーと、前記他端が前記機器本体から外されることで前記離間方向に回動することにより、前記開閉体を前記機器本体から前記開放方向に第１の所定角度分回動させた姿勢で前記一端に係合して前記閉塞方向への前記開閉体の回動を規制する係合部材と、を有する。【選択図】  図３
2016207733.tif 000002
【特許請求の範囲】
【請求項１】
機器本体に回動自在に軸支され、前記機器本体に対し開閉する開閉体と、
一端が前記開閉体に回動自在に軸支されており、他端が前記機器本体に対し着脱自在であり、前記他端が前記機器本体との装着位置から離間する離間方向に回動すると前記開閉体を前記機器本体から開放する開放方向に回動させ、前記他端が前記機器本体との装着位置に近接する近接方向に回動すると前記開閉体を前記機器本体に閉塞する閉塞方向に回動させる支持レバーと、
前記他端が前記機器本体から外されることで前記離間方向に回動することにより、前記開閉体を前記機器本体から前記開放方向に第１の所定角度分回動させた姿勢で前記一端に係合して前記閉塞方向への前記開閉体の回動を規制する係合部材と、
を有することを特徴とする電子機器。
【請求項２】
前記係合部材は、
前記他端が前記機器本体から外されることで前記他端が自重で前記離間方向に第２の所定角度分回動することにより、前記他端が前記第２の所定角度分回動した姿勢で前記一端に係合して前記離間方向への回動を規制することを特徴とする請求項１に記載の電子機器。
【請求項３】
前記一端は、
前記支持レバーを回動させる回動軸と、
前記他端が前記第２の所定角度分回動した姿勢で前記一端に係合して前記離間方向への回動を規制する突起と、を有し、
前記突起と前記他端との間の長さが、前記突起と前記回動軸との間の長さよりも長いことを特徴とする請求項２に記載の電子機器。
【請求項４】
前記係合部材は、
前記開閉体の前記開放方向への回動に連動して前記開閉体が前記支持レバーを引き上げることにより、前記他端と係合して前記閉塞方向への前記開閉体の回動を規制することを特徴とする請求項１に記載の電子機器。
【請求項５】
前記係合部材は、
前記一端の前記離間方向への回動により前記他端を摺動する溝と、
前記溝に連通して前記他端を係止する穴と、を有し、
前記他端が前記溝に係合した場合、前記支持レバーの自重により前記溝を摺動し、前記穴に係止されることにより、前記閉塞方向への前記開閉体の回動を規制することを特徴とする請求項４に記載の電子機器。
【発明の詳細な説明】
【技術分野】
【０００１】
本発明は、開閉体を有する電子機器に関する。
【背景技術】
【０００２】
一般に、操作卓は、操作パネルを有する。操作パネルは、操作パネルの裏面から操作卓にネジ止めされる。操作卓内部や操作パネルにはプリント配線板や電子部品が実装される。プリント配線板や電子部品は、定期的な保守点検や部品交換を行うことがある。このため、操作パネルに回転軸を設け回動可能にすることで、操作卓内部や操作パネルに実装されたプリント配線板や電子部品に作業者が容易にアクセス可能な構造とし、作業効率を良くする必要がある。
【０００３】
操作パネルを回動させる場合、一般的には操作パネルに取手等で操作パネルを掴める部位を設けるが、取手等を設ける実装スペースが確保できなかったり、デザイン性の問題で取手等を設けられないことがある。また、操作パネルの保守点検や部品交換作業の時、操作パネルを開放した状態を保持しないと、操作パネルと操作卓の間に手を挟む恐れがあるため、操作パネルにアームを設けて操作パネルの自重による閉塞を阻止する場合がある。
【０００４】
このような、操作卓内部や操作パネルに実装されたプリント配線板や電子部品を保守点検や部品交換する時に、取手等を設けずに回動させ、操作パネルを開放した状態で固定する機構が特許文献１に開示されている。特許文献１に記載された操作卓装置は、操作卓シャーシの後部の部材受面部上に、操作卓ケース取付部材を前後方向に所定の距離だけ移動可能に設け、操作卓ケース取付部材に、操作パネルを備えた操作卓ケースを蝶番を介して開閉可能に取り付け、操作卓シャーシに、操作卓ケースを開口状態に保持する保持機構５０を設けた構造である。
【０００５】
また、レバーにレバー比を有するリンク機構を持った部材を接続して、軽くスムーズに開閉する機構が特許文献２に開示されている。特許文献２に記載されたカバー開閉機構は、カバーの両側に設けた側板に支点と係合溝とを形成し、支点をレバー部材によって回動自在に支持させると共に双方のレバー部材を軸管で一体に結合し、軸管を支持棒により筐体に支持させるようにして、閉蓋状態で係合溝を軸管に係合させるようにした機構である。
【先行技術文献】
【特許文献】
【０００６】
【特許文献１】特開平７−１２９０７５号公報
【特許文献２】実開平５−０３６３９５号公報
【発明の概要】
【発明が解決しようとする課題】
【０００７】
しかしながら、特許文献１の技術においては、操作卓ケース取付部材の奥行へのスライド、操作パネルを備えた操作卓ケースの回動、及び操作卓ケースの開口状態での保持という複数の動作を必要とするため、作業が煩雑になるという問題がある。また、それぞれの動作を実現するために、部品点数が増加し、構造が複雑化するという問題がある。また、特許文献２の技術のように、レバー比を有するリンク機構を設けると、部品点数が増加し、構造が複雑化するという問題がある。
【０００８】
本発明は、開閉体の開放作業の簡素化を図ることを目的とする。
【課題を解決するための手段】
【０００９】
本願において開示される発明の一側面となる電子機器は、機器本体に回動自在に軸支され、前記機器本体に対し開閉する開閉体と、一端が前記開閉体に回動自在に軸支されており、他端が前記機器本体に対し着脱自在であり、前記他端が前記機器本体との装着位置から離間する離間方向に回動すると前記開閉体を前記機器本体から開放する開放方向に回動させ、前記他端が前記機器本体との装着位置に近接する近接方向に回動すると前記開閉体を前記機器本体に閉塞する閉塞方向に回動させる支持レバーと、前記他端が前記機器本体から外されることで前記離間方向に回動することにより、前記開閉体を前記機器本体から前記開放方向に第１の所定角度分回動させた姿勢で前記一端に係合して前記閉塞方向への前記開閉体の回動を規制する係合部材と、を有する。
【発明の効果】
【００１０】
本発明の代表的な実施の形態によれば、開閉体の開放作業の簡素化を図ることができる。前述した以外の課題、構成及び効果は、以下の実施例の説明により明らかにされる。
【図面の簡単な説明】
【００１１】
【図１】本実施例にかかる操作卓の操作パネルの閉塞状態を示す斜視図である。
【図２】本実施例にかかる操作卓の操作パネルの開放状態を示す斜視図である。
【図３】本実施例にかかる操作卓の分解斜視図である。
【図４】支持レバーの斜視図である。
【図５】支持レバーの一端の取り付け状態を示す拡大斜視図である。
【図６】支持レバーの取り付け後の右側断面図である。
【図７】支持レバー受け金具の斜視図である。
【図８】支持レバー受け金具の側面図である。
【図９】支持レバー受け金具の取り付け状態を示す拡大斜視図である。
【図１０】操作パネルの閉塞状態を示す操作卓の側断面図である。
【図１１】操作パネルの固定解除状態を示す操作卓の側断面図である。
【図１２】操作パネルの開放保持状態を示す操作卓の側断面図である。
【図１３】操作パネルの全開状態を示す操作卓の側断面図である。
【図１４】図１３に示した操作パネルの全開状態における支持レバーおよび支持レバー受け金具の係合状態を示す拡大斜視図である。
【図１５】操作パネルの全開摺動状態を示す操作卓の側断面図である。
【図１６】図１５に示した操作パネルの全開摺動状態における支持レバーおよび支持レバー受け金具の係合状態を示す拡大斜視図である。
【図１７】操作パネルの全開固定状態を示す操作卓の側断面図である。
【図１８】図１７に示した操作パネルの全開固定状態における支持レバーおよび支持レバー受け金具の係合状態を示す拡大斜視図である。
【発明を実施するための形態】
【実施例１】
【００１２】
以下、本実施例の電子機器について説明する。本実施例では、電子機器の一例として操作卓を例に挙げて説明する。
【００１３】
図１は、本実施例にかかる操作卓の操作パネルの閉塞状態を示す斜視図である。電子機器の一例である操作卓１００は、機器本体の一例であるデスク１と、開閉体の一例である操作パネル２と、を有し、デスク１に操作パネル２が開閉自在に取り付けられた構造である。図１では、操作パネル２は、デスク１に対し閉塞した状態である。
【００１４】
図２は、本実施例にかかる操作卓１００の操作パネル２の開放状態を示す斜視図である。操作卓１００は、支持レバー３と、係合部材の一例である支持レバー取り付け金具４と、プリント基板６と、を有する。デスク１は、操作パネル２が閉塞することにより隠蔽される隠蔽領域１ａを有する。支持レバー３の長手方向の一端３ａは、操作パネル２の背面２ａに設けられ、支持レバー３の長手方向の他端３ｂは、隠蔽領域１ａに設けられる。支持レバー３は、その他端３ｂがデスク１から離間する離間方向に回動すると、操作パネル２をデスク１から開放する開放方向に回動させ、他端３ｂがデスク１に近接する近接方向に回動すると操作パネル２をデスク１に閉塞する閉塞方向に回動させる。
【００１５】
操作パネル２の背面２ａには、支持レバー取り付け金具４とプリント基板６とが設けられる。支持レバー取り付け金具４は、支持レバー３の一端３ａを、他端３ｂが操作卓１００の正面側から背面側へ、または、背面側から正面側へ回動するように軸支する。支持レバー取り付け金具４は、他端３ｂがデスク１から外されることで離間方向に回動することにより、操作パネル２をデスク１から開放方向に所定角度θ２（図１２で後述）分回動させた姿勢で一端３ａに係合して閉塞方向への操作パネル２の回動を規制する。所定角度θ２は、たとえば、作業者が手を挿入して操作パネル２を持ち上げることができる程度のスペースＳ２（図１２で後述）を形成する角度である。これにより、保守点検や部品交換において、操作パネル２の開放作業時に、操作パネル２を操作卓１００の奥行側にスライドさせるスペースを確保する必要がなく、操作卓１００の高密度な部品実装及び小型化が可能となる。
【００１６】
また、支持レバー取り付け金具４は、他端３ｂがデスク１から外されることで他端３ｂが自重で離間方向に所定角度θ１（図１１で後述）分回動することにより、他端３ｂが所定角度θ１分回動した姿勢で一端３ａに係合して離間方向への回動を規制してもよい。この回動の規制により、支持レバー３を手で握るためのスペースＳ１が、支持レバー３とデスク底板１１との間に確保されるため、作業者は、支持レバー３とデスク底板１１との締結を解除するだけで、他端３ｂを支える必要がなく、開放作業の簡素化を図ることができる。
【００１７】
また、支持レバー取り付け金具４は、操作パネル２の開放方向への回動に連動して操作パネル２が支持レバー３を引き上げることにより、他端３ｂと係合して閉塞方向への操作パネル２の回動を規制してもよい。これにより、作業者は、操作パネル２を開放方向に持ち上げるだけでよく、閉塞方向への回動を規制するための操作を別途する必要がない。したがって、開放作業の簡素化を図ることができる。なお、支持レバー３の動作の詳細については後述する。
【００１８】
作業者は、操作パネル２の開放状態において、プリント基板６に接触することができる。プリント基板６は、電子部品や配線が実装された電子部材である。なお、図２では、プリント基板６は、操作パネル２の背面２ａに設けられているが、デスク１の内部（不図示）でもよい。
【００１９】
図３は、本実施例にかかる操作卓１００の分解斜視図である。蝶番２１は、デスク１および操作パネル２に取り付けられる。蝶番２１は、デスク１に対し操作パネル２を開閉可能にする。支持レバー取り付け金具４およびプリント基板６は、それぞれ、取り付けネジ７により操作パネル２の背面２ａに固定される。デスク１のデスク底板１１には、その裏側から支持レバー受け金具５が取り付けネジ７により固定される。支持レバー３の他端３ｂは、支持レバー通過穴１２を貫通して、支持レバー受け金具５で支持される。
【００２０】
図４は、支持レバー３の斜視図である。支持レバー３の一端３ａは、支持レバー取り付け軸用穴３６と、支持レバー突起３１と、を有する。支持レバー３の他端３ｂは、支持レバー係止部３３と、支持レバースライド用切り欠き３４と、支持レバーストッパ３５と、支持レバー固定ネジ３７と、を有する。支持レバー係止部３３の幅は、支持レバー３の幅よりも短い。支持レバースライド用切り欠き３４の幅は、支持レバー係止部３３の幅よりも短い。支持レバーストッパ３５の幅は、支持レバー３の幅よりも長い。
【００２１】
図５は、支持レバー３の一端３ａの取り付け状態を示す拡大斜視図である。支持レバー取り付け金具４は、鋼板を曲げ起こした左右一対の支持レバー取り付け用切り起こし４１と支持レバー取り付け軸用穴４２とを有する。支持レバー取り付け軸用穴４２は、支持レバー取り付け用切り起こし４１に形成される。
【００２２】
支持レバー取り付け軸３２は、支持レバー取り付け軸用穴４２と支持レバー取り付け軸用穴３６とを貫通して、支持レバー取り付け軸用穴４２に溶接または接着により固定される。これにより、支持レバー３の他端３ｂは、支持レバー取り付け軸３２を回動中心として、操作卓１００の正面側から背面側へ、または、背面側から正面側へ回動する。
【００２３】
図６は、支持レバー３の取り付け後の右側断面図である。図６では、操作パネル２はデスク１に対し閉塞状態である。この状態では、支持レバー３は、支持レバー取り付け金具４にぶら下がった状態である。支持レバー３をデスク１に固定する場合、操作パネル２を閉塞した状態で、作業者は、支持レバー３の他端３ｂを、支持レバー取り付け軸３２を回動中心として、他端３ｂがデスク１のデスク底板１１との装着位置に近接する近接方向（矢印Ｂ参照）に回動させる。すなわち、近接方向は、操作卓１００の背面側から正面側へ他端３ｂを回動させる方向である。そして、作業者は、支持レバー３とデスク１のデスク底板１１とが当接する位置で、支持レバー固定ネジ３７によりデスク１のデスク底板１１の支持レバー取り付けネジ穴１４に、支持レバー３をネジ止め固定する。
【００２４】
図７は、支持レバー受け金具５の斜視図である。支持レバー受け金具５は、底面板７１と、２枚の側面板７２と、背面板７３と、を有する略箱型形状の部材である。側面板７２の長手方向において、背面板７３が形成されている側が、操作卓１００の奥行側となり、開口５８が形成されている反対側が、操作卓１００の手前側となる。側面板７２は、底面板７１よりも操作卓１００の手前側に突出して形成される。
【００２５】
側面板７２は、取り付け片５９を有する。各取り付け片５９には、支持レバー受け金具取り付け穴５９ａが形成される。支持レバー受け金具５は、取り付け片５９がデスク底板１１の背面に当接した状態で取り付けられる。支持レバー受け金具取り付け穴５９ａは、取り付けネジ７が貫通する穴である。
【００２６】
底面板７１は、支持レバー当接面５５と、支持レバースライド用溝５６と、支持レバー係止穴５７と、を有する。支持レバー当接面５５は、底面板７１の操作卓１００の手前側の端面である。支持レバースライド用溝５６は、支持レバー当接面５５の中途部から奥行き方向に形成された溝である。支持レバースライド用溝５６の溝幅は、支持レバースライド用切り欠き３４の幅よりも広い。支持レバー係止穴５７は、支持レバースライド用溝５６の奥行側において支持レバースライド用溝５６よりも幅広な穴である。すなわち、支持レバースライド用溝５６および支持レバー係止穴５７は、底面板７１において略Ｔ字状に形成される溝である。
【００２７】
図８は、支持レバー受け金具５の側面図である。側面板７２の中途部には、支持レバー３の一端３ａを案内する案内溝８０が形成される。案内溝８０には、突起誘導部５１と突起保持溝５２と、突起ストッパ面５３と、が形成される。突起誘導部５１は、突起保持溝５２に向かうにしたがって案内溝８０が深くなる湾曲面である。突起誘導部５１は、支持レバー３の一端３ａに設けられた支持レバー突起３１を摺動させる。突起保持溝５２は、突起誘導部５１の一端に形成され、案内溝８０の最深部となる。突起保持溝５２は、支持レバー突起３１を保持し、支持レバー突起３１が突起誘導部５１側に戻るのを規制する。
【００２８】
突起ストッパ面５３は、突起保持溝５２に対し突起誘導部５１の反対側、すなわち、操作卓１００の奥行側に形成された面である。突起ストッパ面５３は、操作卓１００の奥行側への支持レバー突起３１の移動を規制する。
【００２９】
また、側面板７２において、取り付け片５９が形成されている面と反対側の面は、ストッパ係止面５４である。ストッパ係止面５４は、支持レバー３が上昇した場合に支持レバー３の他端３ｂの支持レバーストッパ３５を係止して、支持レバー３の上昇を阻止する。
【００３０】
図９は、支持レバー受け金具５の取り付け状態を示す拡大斜視図である。支持レバー受け金具５は、取り付け片５９がデスク底板１１の背面に当接した状態で、支持レバー受け金具取り付け穴５９ａを介して、取り付けネジ７が支持レバー受け金具取り付け穴１３に螺入されることにより、デスク底板１１にねじ止め固定される。支持レバー３の一端３ａおよび支持レバー取り付け用切り起こし４１は、支持レバー受け金具５の開口５８に収容される。
【００３１】
図１０は、操作パネル２の閉塞状態を示す操作卓１００の側断面図である。操作パネル２の閉塞状態では、支持レバー３は、デスク底板１１に平行な状態である。具体的には、支持レバー３の他端３ｂは、支持レバー固定ネジ３７によりデスク１のデスク底板１１の支持レバー取り付けネジ穴１４にネジ止め固定される。これにより、操作パネル２は、デスク１に固定され、開放を抑制される。また、この状態では、支持レバー突起３１は、突起誘導部５１に接触していない。
【００３２】
＜操作パネル２の開放作業＞
つぎに、操作パネル２の開放作業について説明する。開放作業により、操作パネル２の状態は、固定解除状態（図１１）、開放保持状態（図１２）、全開状態（図１３および図１４）、全開摺動状態（図１５および図１６）、全開固定状態（図１７および図１８）の順に遷移する。
【００３３】
固定解除状態とは、作業者により操作パネル２とデスク底板１１との固定を解除する状態である。開放保持状態とは、操作パネル２とデスク底板１１との固定解除に連動して、操作パネル２が概ね手を差し込める程度浮き上がった状態で保持される状態である。全開状態とは、開放保持状態から作業者が操作パネル２を開放方向に回動させて全開にする状態である。全開摺動状態とは、全開状態から支持レバー３の自重により支持レバー３の他端３ｂが操作卓１００の離間方向に摺動する状態である。全開固定状態とは、全開摺動状態において支持レバー３の他端３ｂの摺動が停止することにより、支持レバー３が支持レバー受け金具５に固定されることにより、操作パネル２の全開状態のまま閉塞を規制する状態である。
【００３４】
図１１は、操作パネル２の固定解除状態を示す操作卓１００の側断面図である。作業者が支持レバー３の他端３ｂの支持レバー固定ネジ３７を緩め、支持レバー３とデスク底板１１との締結を解除すると、支持レバー３の他端３ｂは、支持レバー取り付け軸３２を回転軸として下方に降下する。換言すれば、他端３ｂは、デスク１のデスク底板１１との装着位置から離間する離間方向に回動させる。すなわち、離間方向は、操作卓１００の正面側から背面側へ他端３ｂを回動させる方向である。そして、支持レバー３の降下は、支持レバー突起３１が突起誘導部５１に当接することにより停止する。支持レバー３の降下停止により、支持レバー３を手で握るためのスペースＳ１が、支持レバー３とデスク底板１１との間に確保される。このように、支持レバー３の他端３ｂの支持レバー固定ネジ３７を緩め、支持レバー３とデスク底板１１との締結を解除するだけで、他端３ｂを支える必要がない。したがって、開放作業の簡素化を図ることができる。
【００３５】
作業者が支持レバー３を手で握り、支持レバー取り付け軸３２を回転軸として離間方向へ支持レバー３を回動させると、支持レバー３の支持レバー突起３１が支持レバー受け金具５の突起誘導部５１に当接しながら、奥行き方向（図１１のＣ方向）へ案内される。この動作に連動して、支持レバー３の一端３ａが上昇して操作パネル２をその背面から押し上げることで、操作パネル２は蝶番２１を軸として開放方向に回動する。
【００３６】
支持レバー取り付け軸３２から支持レバー突起３１までの長さよりも、支持レバー突起３１から支持レバー３の他端３ｂまでの長さの方が長い。したがって、梃子の原理で操作パネル２は軽い力で開放可能となる。また、当該長さの差により、操作パネル２は、支持レバー３を回動する回動速度よりも遅い速度で開放される。
【００３７】
支持レバー３の一端３ａの支持レバー突起３１が突起保持溝５２に落ち込み、支持レバー受け金具５の突起ストッパ面５３と当接した位置で停止すると、支持レバー突起３１の近接方向および奥行き方向の移動が規制され、支持レバー３の回動が抑制され、図１２に示す状態となる。
【００３８】
図１２は、操作パネル２の開放保持状態を示す操作卓１００の側断面図である。図１２では、操作パネル２の自重により、支持レバー突起３１が突起保持溝５２に押し込まれるため、支持レバー突起３１の近接方向および奥行き方向の移動が規制され、支持レバー３の回動が抑制される。換言すれば、突起保持溝５２が支持レバー突起３１の降下を規制しているため、操作パネル２は閉塞方向に回動せず、開放状態のまま保持される。したがって、操作パネル２が概ね手を差し込める程度浮き上がった状態で保持される。この浮き上がった空間がスペースＳ２である。作業者がスペースＳ２に手を差し込んで操作パネル２を手で押し上げることにより、作業者は、蝶番２１を軸として操作パネル２を開放方向に回動することができる。
【００３９】
図１３は、操作パネル２の全開状態を示す操作卓１００の側断面図である。図１４は、図１３に示した操作パネル２の全開状態における支持レバー３および支持レバー受け金具５の係合状態を示す拡大斜視図である。なお、図１４では、説明の便宜上、デスク底板１１を図示していない（図１６、図１８も同様）。図１２に示した状態から、作業者は、蝶番２１を軸として操作パネル２を開放方向に回動させると、支持レバー３の一端３ａは、操作パネル２の回動に追従して引き上げられる。支持レバー３は奥行側に傾倒し、支持レバー３の他端３ｂと支持レバー受け金具５の支持レバー当接面５５とが当接しながら、支持レバー３の一端３ａが引き上げられていく。
【００４０】
支持レバー３の他端３ｂには、支持レバー受け金具５の開口５８より広い幅の支持レバーストッパ３５が設けられており、操作パネル２を開放していくと、支持レバースライド用切り欠き３４が支持レバースライド用溝５６に入り込み、支持レバー３の支持レバーストッパ３５と支持レバー受け金具５のストッパ係止面５４とが接触し、操作パネル２の開放を抑制する。この状態が操作パネル２の全開状態である。全開状態では、操作パネル２は、デスク底板１１に対して、例えば、７０度の回動角度で保持される。
【００４１】
図１５は、操作パネル２の全開摺動状態を示す操作卓１００の側断面図である。図１６は、図１５に示した操作パネル２の全開摺動状態における支持レバー３および支持レバー受け金具５の係合状態を示す拡大斜視図である。図１５および図１６は、図１３および図１４の全開状態の次状態である全開摺動状態を示す。
【００４２】
図１３および図１４で説明したように、支持レバー３の支持レバーストッパ３５と支持レバー受け金具５のストッパ係止面５４とが接触すると、支持レバー３の支持レバースライド用切り欠き３４が支持レバー受け金具５の支持レバースライド用溝５６に入り込む。そして、一端３ａが奥行側に傾倒した支持レバー３の自重により、支持レバースライド用切り欠き３４が支持レバースライド用溝５６に案内されて奥行き方向に摺動する。そして、支持レバースライド用切り欠き３４と支持レバー受け金具５の支持レバー係止穴５７の端面が接触することにより、支持レバースライド用切り欠き３４の摺動が停止する。
【００４３】
図１７は、操作パネル２の全開固定状態を示す操作卓１００の側断面図である。図１８は、図１７に示した操作パネル２の全開固定状態における支持レバー３および支持レバー受け金具５の係合状態を示す拡大斜視図である。図１７および図１８は、図１５および図１６の全開摺動状態の次状態である全開固定状態を示す。
【００４４】
図１５および図１６に示した支持レバースライド用切り欠き３４の摺動が停止した状態で、作業者が操作パネル２の開放を止め操作パネル２から手を離すと、操作パネル２の自重で操作パネル２が閉塞方向へ回動する。そして、支持レバー３の支持レバー係止部３３が支持レバー受け金具５の支持レバー係止穴５７に入り込むことで、操作パネル２の閉塞方向への回動が規制される。これにより、操作パネル２が固定される。
【００４５】
＜操作パネル２の閉塞作業＞
つぎに、操作パネル２の閉塞作業について説明する。閉塞作業により、操作パネル２の状態は、全開固定状態（図１７および図１８）、全開摺動状態（図１５および図１６）、全開状態（図１３および図１４）、開放保持状態（図１２）、固定解除状態（図１１）の順に遷移する。
【００４６】
上述したように、全開固定状態（図１７および図１８）では、支持レバー３の支持レバー係止部３３が支持レバー受け金具５の支持レバー係止穴５７に入り込み、操作パネル２が閉塞方向へ回動するのを抑制し、操作パネル２が固定される。この状態から作業者が操作パネル２を開放方向に回動させると、図１５および図１６に示したように、支持レバー３の支持レバー係止部３３が支持レバー係止穴５７から外れ、支持レバー３の支持レバースライド用切り欠き３４と支持レバー受け金具５の支持レバースライド用溝５６とが手前側へ摺動可能な位置となる（全開摺動状態（図１５および図１６））。
【００４７】
この状態で、作業者は、支持レバー３を手で近接方向に引き、支持レバー３の背面側と支持レバー受け金具５の支持レバー当接面５５が当接する位置まで移動すると、操作パネル２が閉塞可能となる（全開状態（図１３および図１４））。
【００４８】
そして、作業者が、操作パネル２を手で掴み閉塞方向へ回動させていくと、支持レバー３の一端３ａは奥行側に傾倒しているため、支持レバー３の背面側と支持レバー受け金具５の支持レバー当接面５５とが当接しながら、支持レバー３が下降し、操作パネル２が閉塞していく。さらに、作業者が、操作パネル２を閉塞方向へ回動させていくと、突起保持溝５２に支持レバー突起３１が落ち込み、支持レバー突起３１の手前側および奥行側への移動が抑制され支持レバー３が保持される。したがって、図１２に示す位置で操作パネル２が保持される。このように、閉塞する前に操作パネル２が開放保持状態となるため、操作パネル２を掴んだ手を安全に抜くことができる。
【００４９】
その後、支持レバー３を手で近接方向に回動させると、支持レバー突起３１が突起保持溝５２を乗り越え、支持レバー突起３１と突起誘導部５１とが当接しながら支持レバー突起３１が近接方向に移動し、連動して操作パネル２が閉塞される。
【００５０】
支持レバー取り付け軸３２から支持レバー突起３１までの長さよりも、支持レバー突起３１から支持レバー３の他端３ｂまでの長さの方が長い。したがって、当該長さの差により、操作パネル２は、支持レバー３を回動する回動速度よりも遅い速度で閉塞される。これにより、操作パネル２のプリント基板６に実装された電子部品やデスク１のプリント基板に実装された電子部品に衝撃を与えることなく、操作パネル２を閉塞することができる。
【００５１】
操作パネル２が完全に閉塞した時、図１１に示す、支持レバー３に設けられた支持レバー突起３１と、支持レバー受け金具５に設けられた突起誘導部５１とが接触した位置で支持レバー３が停止する。そして、支持レバー３の支持レバー固定ネジ３７によりデスク１のデスク底板１１にネジ止めにて固定すると、操作パネル２はデスク１と完全に固定されており、操作パネル２は回動できない状態となる。
【００５２】
このように、本実施例によれば、操作パネル２に取り付けた支持レバー３を回動させることで操作パネル２を持ち上げ、操作パネル２と操作卓１００の間に手を掛けられるスペースＳ２を作った状態で操作パネル２を保持することが可能である。これにより、保守点検や部品交換において、操作パネル２を操作卓１００の奥行側にスライドすることなく開放作業に必要なスペースＳ２を確保することができる。したがって、操作卓１００の奥行側に操作パネル２のスライド用のスペースを確保する必要がなく、操作卓１００の高密度な部品実装及び小型化が可能となる。
【００５３】
また、作業者が支持レバー３の他端３ｂの支持レバー固定ネジ３７を緩め、支持レバー３とデスク底板１１との締結を解除するだけで、支持レバー３の他端３ｂが降下し、突起誘導部５１に当接することによりその降下が停止する。この支持レバー３の降下停止により、支持レバー３を手で握るためのスペースＳ１が、支持レバー３とデスク底板１１との間に確保されるため、作業者は、支持レバー３とデスク底板１１との締結を解除するだけで、他端３ｂを支える必要がなく、開放作業の簡素化を図ることができる。
【００５４】
また、操作パネル２を支持レバー３の回動速度よりも遅い速度で閉塞できるため、プリント基板６に実装された電子部品に衝撃を掛けることなく操作パネル２の閉塞が可能となる。さらに、操作パネル２を開放保持状態（図１２）、全開状態（図１３および図１４）、全開摺動状態（図１５および図１６）、および全開固定状態（図１７および図１８）にする機構を、支持レバー３の操作で実現することで、煩雑な開放作業を簡素化することができる。また、それぞれの状態の機構に必要だった部材が集約されるため、部品点数の削減を図ることができる。
【００５５】
なお、上述した実施例では、操作パネル２が開閉可能な操作卓１００について説明したが、開閉可能な開閉体は、操作パネル２には限定されない。また、上述した実施例では、操作卓１００について説明したが、操作卓１００には限定されない。たとえば、電子ピアノ、ゲーム機、サーバなどの電子機器でもよい。また、プリント基板６などの電子部材は、本実施例の操作卓１００に示したように、電子機器と一体型でもよいが、別体でもよい。たとえば、操作卓１００で示したような構造の筐体の内部に、電子部材が収納された電子機器でもよい。
【符号の説明】
【００５６】
１  デスク
２  操作パネル
３  支持レバー
４  支持レバー取り付け金具
５  支持レバー受け金具
６  プリント基板
１１  デスク底板
３１  支持レバー突起
３２  支持レバー取り付け軸
３３  支持レバー係止部
３５  支持レバーストッパ
５０  保持機構
５１  突起誘導部
５２  突起保持溝
５３  突起ストッパ面
５４  ストッパ係止面
５５  支持レバー当接面
５６  支持レバースライド用溝
５７  支持レバー係止穴
５８  開口
５９  取り付け片
７１  底面板
７２  側面板
７３  背面板
８０  案内溝
１００  操作卓
Ｓ１，Ｓ２  スペース
【図１】
2016207733.tif 000003
【図２】
2016207733.tif 000004
【図３】
2016207733.tif 000005
【図４】
2016207733.tif 000006
【図５】
2016207733.tif 000007
【図６】
2016207733.tif 000008
【図７】
2016207733.tif 000009
【図８】
2016207733.tif 000010
【図９】
2016207733.tif 000011
【図１０】
2016207733.tif 000012
【図１１】
2016207733.tif 000013
【図１２】
2016207733.tif 000014
【図１３】
2016207733.tif 000015
【図１４】
2016207733.tif 000016
【図１５】
2016207733.tif 000017
【図１６】
2016207733.tif 000018
【図１７】
2016207733.tif 000019
【図１８】
2016207733.tif 000020